【手続補正書】
【提出日】平成18年4月7日(2006.4.7)
【手続補正１】
【補正対象書類名】明細書
【補正対象項目名】特許請求の範囲
【補正方法】変更
【補正の内容】
【特許請求の範囲】
【請求項１】  被写体を撮像して撮像信号に変換する撮像手段と、
該撮像手段から出力される撮像信号に基づいて、撮像画像を表示する表示手段と、
該表示手段の画面内の複数の焦点検出領域のうち、少なくとも１つの領域を選択する選択手段と、
該選択手段によって選択された焦点検出領域内の前記撮像信号から焦点信号を抽出する抽出手段と、
該抽出手段によって抽出された焦点信号に基づいて、前記撮像手段の焦点調節を行う焦点調節手段と、
前記選択手段によって選択される焦点検出領域を撮影者が変更指示するための操作子と、
該操作子を用いて撮影者が変更指示した焦点検出領域を、所定の条件が満たされたときに確定する確定手段と
を有することを特徴とする撮像装置。
【請求項２】  前記所定の条件は、撮影者が前記焦点検出領域を変更指示してから所定時間経過したことであることを特徴とする請求項１に記載の撮像装置。
【請求項３】  前記撮像手段は、前記被写体を変倍して撮像でき、
前記所定の条件は、該撮像手段による変倍動作が開始されたことであることを特徴とする請求項１に記載の撮像装置。
【請求項４】  前記撮像手段による変倍動作中は、前記選択手段による選択動作を禁止する禁止手段をさらに有することを特徴とする請求項３に記載の撮像装置。
【請求項５】  前記撮像手段から出力される撮像信号を記録する記録手段をさらに有し、
前記所定の条件は、該記録手段による記録動作が開始されたことであることを特徴とする請求項１に記載の撮像装置。
【請求項６】  前記記録手段による記録動作中は、前記選択手段による選択動作を禁止する禁止手段をさらに有することを特徴とする請求項５に記載の撮像装置。
【請求項７】  前記表示手段は、前記選択手段によって選択された焦点検出領域を前記撮像画像に重畳して表示することを特徴とする請求項１〜６のいずれかに記載の撮像装置。
【請求項８】  前記操作子は、シーソータイプ、ダイヤルタイプまたはジョグタイプのいずれかであることを特徴とする請求項１〜６のいずれかに記載の撮像装置。
【請求項９】  被写体を撮像して撮像信号に変換する撮像手段と、
該撮像手段から出力される撮像信号に基づいて、撮像画像を表示する表示手段と、
該表示手段の画面内の複数の焦点検出領域のうち、少なくとも１つの領域を自動的に選択する自動選択手段と、
前記複数の焦点検出領域のうち、少なくとも１つの領域を撮影者の指示に従って選択する手動選択手段と、
前記自動選択手段または前記手動選択手段のいずれかによって選択された焦点検出領域内の前記撮像信号から焦点信号を抽出する抽出手段と、
該抽出手段によって抽出された焦点信号に基づいて、前記撮像手段の焦点調節を行う焦点調節手段と、
撮影者が静止画撮影を指示するための第１の操作子と、
撮影者が動画撮影を指示するための第２の操作子と、
撮影者が前記第１の操作子を用いて行った静止画撮影指示に応じて、前記撮像手段から出力される撮像信号を静止画記録し、撮影者が前記第２の操作子を用いて行った動画撮影指示に応じて、前記撮像手段から出力される撮像信号を動画記録する記録手段と、
操作者が前記第２の操作子を用いて動画撮影を指示したときには、前記自動選択手段によって焦点検出領域を選択し、前記焦点調節手段による、該焦点検出領域から抽出された焦点信号に基づいた焦点調節が完了するまで、前記記録手段による動画記録を禁止するように制御する制御手段と
を有することを特徴とする撮像装置。
【請求項１０】  被写体を撮像して撮像信号に変換する撮像手段から出力される撮像信号に基づいて、撮像画像を表示手段に表示する表示ステップと、
前記表示手段の画面内の複数の焦点検出領域のうち、少なくとも１つの領域を選択する選択ステップと、
該選択ステップによって選択された焦点検出領域内の前記撮像信号から焦点信号を抽出する抽出ステップと、
該抽出ステップによって抽出された焦点信号に基づいて、前記撮像手段の焦点調節を行う焦点調節ステップと、
前記選択ステップによって選択される焦点検出領域を撮影者が変更指示するための操作子を用いて撮影者が変更指示した焦点検出領域を、所定の条件が満たされたときに確定する確定ステップと
を有することを特徴とする撮像装置の制御方法。
【請求項１１】  被写体を撮像して撮像信号に変換する撮像手段から出力される撮像信号に基づいて、撮像画像を表示手段に表示する表示ステップと、
前記表示手段の画面内の複数の焦点検出領域のうち、少なくとも１つの領域を自動的に選択する自動選択ステップと、
前記複数の焦点検出領域のうち、少なくとも１つの領域を撮影者の指示に従って選択する手動選択ステップと、
前記自動選択ステップまたは前記手動選択ステップのいずれかによって選択された焦点検出領域内の前記撮像信号から焦点信号を抽出する抽出ステップと、
該抽出ステップによって抽出された焦点信号に基づいて、前記撮像手段の焦点調節を行う焦点調節ステップと、
撮影者が第１の操作子を用いて行った静止画撮影指示に応じて、前記撮像手段から出力される撮像信号を静止画記録し、撮影者が第２の操作子を用いて行った動画撮影指示に応じて、前記撮像手段から出力される撮像信号を動画記録する記録ステップと、
操作者が前記第２の操作子を用いて動画撮影を指示したときには、前記自動選択ステップによって焦点検出領域を選択し、前記焦点調節ステップによる、該焦点検出領域から抽出された焦点信号に基づいた焦点調節が完了するまで、前記記録ステップによる動画記録を禁止するように制御する制御ステップと
を有することを特徴とする撮像装置の制御方法。
【請求項１２】  被写体を撮像して撮像信号に変換する撮像手段から出力される撮像信号に基づいて、撮像画像を表示手段に表示する表示手順と、
前記表示手段の画面内の複数の焦点検出領域のうち、少なくとも１つの領域を選択する選択手順と、
該選択手順によって選択された焦点検出領域内の前記撮像信号から焦点信号を抽出する抽出手順と、
該抽出手順によって抽出された焦点信号に基づいて、前記撮像手段の焦点調節を行う焦点調節手順と、
前記選択手順によって選択される焦点検出領域を撮影者が変更指示するための操作子を用いて撮影者が変更指示した焦点検出領域を、所定の条件が満たされたときに確定する確定手順と
をコンピュータに実行させるためのプログラム。
【請求項１３】  被写体を撮像して撮像信号に変換する撮像手段から出力される撮像信号に基づいて、撮像画像を表示手段に表示する表示手順と、
前記表示手段の画面内の複数の焦点検出領域のうち、少なくとも１つの領域を自動的に選択する自動選択手順と、
前記複数の焦点検出領域のうち、少なくとも１つの領域を撮影者の指示に従って選択する手動選択手順と、
前記自動選択手順または前記手動選択手順のいずれかによって選択された焦点検出領域内の前記撮像信号から焦点信号を抽出する抽出手順と、
該抽出手順によって抽出された焦点信号に基づいて、前記撮像手段の焦点調節を行う焦点調節手順と、
撮影者が第１の操作子を用いて行った静止画撮影指示に応じて、前記撮像手段から出力される撮像信号を静止画記録し、撮影者が第２の操作子を用いて行った動画撮影指示に応じて、前記撮像手段から出力される撮像信号を動画記録する記録手順と、
操作者が前記第２の操作子を用いて動画撮影を指示したときには、前記自動選択手順によって焦点検出領域を選択し、前記焦点調節手順による、該焦点検出領域から抽出された焦点信号に基づいた焦点調節が完了するまで、前記記録手順による動画記録を禁止するように制御する制御手順と
をコンピュータに実行させるためのプログラム。
【手続補正２】
【補正対象書類名】明細書
【補正対象項目名】００２６
【補正方法】変更
【補正の内容】
【００２６】
同図において、画面２０１は、ファインダ等の表示器に表示される初期表示画面であり、デフォルトでは中央に測距領域（ＡＦ枠）が表示されている。例えば撮影者が、フォトＳＷ操作をすると（ステップＳ５）、中央の測距領域（ＡＦ枠）が確定する（２０４ｂ）。トリガＳＷ操作、ズーム操作の場合も同様である（ステップＳ５）。撮影者がフォーカス枠選択スイッチ１２８を上下若しくは左右にキー操作する（ステップＳ１）と、ＡＦ枠が複数表示された複数枠表示画面２０２となり、ＡＦ枠選択モードに切り替わる。更にフォーカス枠選択スイッチ１２８の操作（ステップＳ２）により、画面２０３ａ〜２０３ｃのように、選択されたＡＦ枠が切り替わる。詳細は後述するが、例えばフォーカス枠選択スイッチ１２８の未操作状態が所定時間継続すると（ステップＳ３）、画面２０４ａ〜２０４ｃのように、現在選択されているＡＦ枠が確定する。確定状態のとき、フォーカス枠選択スイッチ１２８の操作（ステップＳ４）で画面２０２に戻る。
【手続補正３】
【補正対象書類名】明細書
【補正対象項目名】００４５
【補正方法】変更
【補正の内容】
【００４５】
同図において、画面２０１，２０２，２０３ａ〜２０３ｃは図２の画面２０１，２０２，２０３ａ〜２０３ｃと同様であり、ＡＦ枠選択時のフォーカス枠選択スイッチ１２８に応じた表示状態である。例えば撮影者が、フォトＳＷ操作をすると（ステップＳ５）、中央の測距領域（ＡＦ枠）が確定する（３０１）。トリガＳＷ操作、ズーム操作の場合も同様である（ステップＳ６）。トリガスイッチユニット１２９の操作は、図５の画面２０１，２０２，２０３ａ〜２０３ｃのいずれの状態でも受付可能であるが、トリガスイッチユニット１２９がＯＮ状態になると、画面３０１の表示状態に切り替わり、ＡＦ枠は撮影条件に応じて最適なＡＦ枠が自動決定され、自動決定されたＡＦ枠でＡＦ動作が実行される。一方、トリガスイッチユニット１２９がＯＦＦ状態となり（ステップＳ７）、動画記録が終了されると、画面２０１の表示状態に戻り、撮影者によりマニュアルＡＦ枠選択が可能となる。
【手続補正４】
【補正対象書類名】明細書
【補正対象項目名】００５２
【補正方法】削除
【補正の内容】
【手続補正５】
【補正対象書類名】明細書
【補正対象項目名】００５３
【補正方法】削除
【補正の内容】
【手続補正６】
【補正対象書類名】明細書
【補正対象項目名】００５４
【補正方法】削除
【補正の内容】
【手続補正７】
【補正対象書類名】明細書
【補正対象項目名】００５５
【補正方法】削除
【補正の内容】
【手続補正８】
【補正対象書類名】明細書
【補正対象項目名】００５６
【補正方法】削除
【補正の内容】
【手続補正９】
【補正対象書類名】明細書
【補正対象項目名】００５７
【補正方法】削除
【補正の内容】
【手続補正１０】
【補正対象書類名】明細書
【補正対象項目名】００５８
【補正方法】削除
【補正の内容】
【手続補正１１】
【補正対象書類名】明細書
【補正対象項目名】００５９
【補正方法】削除
【補正の内容】
【手続補正１２】
【補正対象書類名】明細書
【補正対象項目名】００６０
【補正方法】削除
【補正の内容】
【手続補正１３】
【補正対象書類名】明細書
【補正対象項目名】００６１
【補正方法】削除
【補正の内容】
【手続補正１４】
【補正対象書類名】明細書
【補正対象項目名】００６２
【補正方法】削除
【補正の内容】
【手続補正１５】
【補正対象書類名】明細書
【補正対象項目名】００６３
【補正方法】削除
【補正の内容】
【手続補正１６】
【補正対象書類名】明細書
【補正対象項目名】００６４
【補正方法】削除
【補正の内容】
【手続補正１７】
【補正対象書類名】明細書
【補正対象項目名】００６５
【補正方法】削除
【補正の内容】
【手続補正１８】
【補正対象書類名】明細書
【補正対象項目名】図１
【補正方法】変更
【補正の内容】
【図１】
2004271984.tif 000001
【手続補正１９】
【補正対象書類名】明細書
【補正対象項目名】図２
【補正方法】変更
【補正の内容】
【図２】
2004271984.tif 000002
【手続補正２０】
【補正対象書類名】明細書
【補正対象項目名】図５
【補正方法】変更
【補正の内容】
【図５】
2004271984.tif 000003